(57)【要約】【課題】  フェレットといつでも、どこでも一緒に行ける。安全、安心で手軽にすぐ使え、さらに中に入るフェレットにとっても快適なキャリーバッグとする。【解決手段】  コンパクトにかつ容易に折りたため、底部の保形態加工により、中のフェレットの安全を図る。さらに、外部ポケット、持ち手部のポケットなどにより使用者の利便性を備える。  また、開口部に巾着、金具を縫いつけることにより、フェレットの飛び出しを防止し、かつ外部からの視野を遮断することにより、暗がりを好むフェレットに安心感を与える。また、底部の利用により、適温を保つ効果をもたせ、フェレットの快適状態保持を図る。【選択図】  図１
0003138875.tif 000002
【実用新案登録請求の範囲】
【請求項１】
肩掛け状の布地または、合成樹脂生地からなり、持ち手部、本体が表地と裏地で構成された、おもな使用対象をフェレットとしたサイズのペット用キャリーバッグ
【請求項２】
フェレットの体の大きさを考慮したサイズの底部がポケット形状で、底部の安定形態を保持する底敷きを入れた請求項１記載のおもな使用対象をフェレットとしたサイズのペット用キャリーバッグ。
【請求項３】
前記底部の内側にも折り返しをつけ、外部からの衝撃を吸収する働きをもたせたことを特徴とする、請求項１又は２に記載のおもな使用対象をフェレットとしたサイズのペット用キャリーバッグ。
【請求項４】
前記バッグの開口部に巾着状の飛び出し防止ネットを縫付した請求項１、２又は３に記載のおもな使用対象をフェレットとしたサイズのペット用キャリーバッグ。  
【請求項５】
さらに、前記バッグの開口部に金具取り付けタグを付けた請求項１、２又は３及び4に記載のおもな使用対象をフェレットとしたサイズの、ペット用キャリーバッグ。
【請求項６】
前記バッグに携帯電話やその他使用者がすぐに使う小物を入れられるポケットを持ち手部につけた請求項１、２又は３及び４、５に記載のおもな使用対象をフェレットとしたサイズのペット用キャリーバッグ。
【考案の詳細な説明】
【技術分野】
【０００１】
本考案は、おもにフェレットを対象とし肩掛け状のペット用キャリーバッグである。
【背景技術】
【０００２】
既存のペット用キャリーバッグというと、おもに犬、猫が対象とされているため、（特許文献１参照）フェレットにとっては大きすぎる。犬猫用のキャリーバッグの応用も可能だが、フェレットの体は、大きな個体であれば小型犬程度、小さければ生まれたての子猫程度の大きさで、一般的な犬猫に比べれば小さい。また、骨格の違いなどにより、体がかなり軟体で、フェレットとしては、大きな個体でも小さく丸まることができるため犬猫用では、個体にとってバッグ自体が大きくなりすぎる。しかも、フェレットは、かなりの割合で狭い空間を好むので、犬猫用を応用した際、バッグから抜け出したり、その広すぎるスペースに安定感をもてず、激しく暴れたりすることが多々見られる。
【０００３】
また、犬猫に比べて体が小さいため幼少時や病床時、また老齢になると体温の保持、調整が難しく、夏場の高気温、冬場の低気温時において、気温調整がされていない状態では生命の維持自体が難しくなることもある。
【０００４】
さらに、既成のハードキャリーでは、使用時、嵩張ることが多く、移動にも困難を期すためフェレットを伴っての外出を控える原因ともなり得る。
【０００５】
簡単な布製のバッグを応用した場合、底部の形状維持設定されていないものがほとんどのため、中のフェレットの安全、安定を図ることが難しい。
【特許文献１】特開平６−１９４４９号公報
【考案の開示】
【考案が解決しようとする課題】
【０００６】
フェレットに最適とされ、安全で、かつ使用者にとって負担の少なく使いやすいバッグに加工調整することにより、フェレットを伴っての外出の機会を増やし、また、必要とするフェレットの体温維持や、介護に役立つバッグを提供する。
【課題を解決するための手段】
【０００７】
本考案では、上記目的を達成するために、次の技術的手段を講じた。すなわち、本考案は肩掛け状の布地または、合成樹脂生地等からなるペット用キャリーバッグとすることにより、ペットを抱いている状態に近いものとし、使用者の体に密着できる状態にすることにより、体温保持の援助ができ、コンパクトにかつ容易に折りたためる。おもな使用対象をフェレットとしたサイズのものとする。また、持ち手部、本体が表地と裏地で構成されていることによりそこに縫着するポケットを表地と裏地の間に収容することができる。さらに、表地と裏地にそれぞれ違う種類の生地を用いることにより使用者にとっても、中にいれるフェレットにとっても最適な環境を整えることができる。（請求項１）。
【０００８】
フェレットの体の大きさを考慮したサイズの底部をポケット形状にすることにより、底敷きを入れることができ、底敷きを入れることにより、フェレットを入れた時の底部の沈みを防ぎ、底部の安定、中のフェレットの安全を図る。
また、ポケット形状にすることにより、底敷きの出し入れが可能となり、バッグ自体に汚れが付着した場合、底敷きをはずして、洗濯することが可能となる。
さらに、ポケット状の底部を利用して、底敷きより下部に保冷剤、カイロ等を入れることにより、中のフェレットの体温の保持、ペット用キャリーバッグ内の温度調節を図ることができる。
さらに、上記利用のない時には、底敷きより下部に使用の際必要となる小物類を入れることができ、その、底敷きにて、安定が図られているため、入れる小物によって、中のフェレットに負担をかけることを防ぐことができる。（請求項２）
【０００９】
そのうえ、底部の内側にも折り返しをつけることにより、外部からの多少の衝撃があっても、底部の形状維持を図ることができ、中のフェレットの安全性を保つ。（請求項３）
【００１０】
バッグの開口部に巾着状の飛び出し防止ネット、金具取り付けタグを付けることにより、ハーネスや、リード等の固定ができ、フェレット自身の飛び出し防止、フェレットの迷子防止を図り、フェレットの身の安全を確保する。（請求項５）また、飛び出し防止ネットを巾着状にすることにより、その上にフェレットを乗せてハンモック状態で使用することができ、体の小さなフェレットや病床のフェレットをバッグで運んだり、介護したりする際、フェレットの様子をよく見ることができる。
また、飛び出し防止ネットの口をしっかり結ぶことにより、公共の場において、バッグの蓋の役割を果たし、外部からの視界を遮ることができ、暗がりを好むフェレットに安心感をあたえる。（請求項４）
【００１１】
携帯電話やその他使用者がすぐに使う小物を入れられるポケットをつけ利便性を図る。ポケットの設置場所も、持ち手部につけ、バッグ本体につけるポケットはマチ付きにすることにより、中のフェレットにかかる負担を軽減する。（請求項５）
【考案の効果】
【００１２】
既存のペット用バッグは、手提げタイプ、又は手で補助しなければペットの安定が図れないが、肩掛けとする事、底敷きを入れ底部の動きをなくす事により、中のフェレットの安定を保つことが出来るので、両手を自由に使うことが可能となる。
【００１３】
また、乗り物によっては、規則でペットの頭部がバッグから出てはいけないことが考えられるが、その場合には、飛び出し防止ネットを巾着状にしっかりと結ぶことができ、フェレットは網目状飛び出し防止ネットより上部が見えると共に、適度の空気を取り入れる事ができる。
【００１４】
さらに、底部のポケット状構造により、保冷剤、カイロを使用時には、ポケット上部と、底板をそれら保冷剤、カイロと、フェレットの間に介在させることにより、直接、接することを防ぎ、低温やけど、冷えすぎを避けバッグ内の温度調節を図ることができる。
【考案を実施するための最良の形態】
【００１５】
以下、本考案の実施の形態を図面に基づいて説明する。図面は本考案に係るペット用キャリーバッグの一実施形態を示している。このペット用キャリーバッグ１は、一体型となった持ち手部２と本体３、フェレットの体を考慮したサイズの底部９に敷設した出し入れ自在の底部保持形体１４と、持ち手部２の表地と裏地の間に縫着されたポケット４と、本体３の裏地上部に縫着された巾着状の飛び出し防止ネット６と、本体外部にマチ付きで縫着された外部ポケット１４と本体３の入り口に付けられた、金具取り付けタグ７と金具８により構成されている。しかし、使用者の体形、身長などを考慮すると利便性を保持するためには持ち手部と本体が必ずしも一体型と限定されてはいない。その場合、持ち手部に長さの調節金具など取り付けることにより利便性を図ることができる。
【００１６】
ペット用キャリーバッグの持ち手部２と本体３は表地と裏地より構成されており、二重になっていることにより、表地に固めの生地を用いることができ、中にフェレットを入れた際にかかる重量に不安なく耐え、使用者に安定感を与えるものとなっている。さらに、本体裏地にペットの毛のつきにくい生地を用いることにより毛玉の付着を避けることができ、また、寒冷期には、保温性のある生地を用いることにより、ペット用キャリーバッグ内の温度の低下を防ぐことができる。
【００１７】
そして、前記ペット用キャリーバッグの底部９をポケット状１４にすることにより、底敷き１３を入れることができ、底敷き１３を入れることにより、フェレットを入れた時の底部の沈みを防ぎ、底部の安定、中のフェレットの安全を図る。
【００１８】
また、ポケット形状にすることにより、底敷き１３の出し入れが可能となり、バッグ自体に汚れが付着した場合、底敷き１３をはずして、洗濯することが可能となる。
さらに、ポケット状の底部を利用して、底敷き１３より下部Ａに保冷剤、カイロ等を入れることにより、中のフェレットの体温の保持、ペット用キャリーバッグ内の温度調節を図ることができる。
【００１９】
さらに、上記利用のない時には、底敷き１３より下部に使用の際必要となる小物類を入れることができ、その、底敷き１３にて、安定が図られているため、入れる小物によって、中のフェレットに負担をかけることを防ぐことができる。（請求項２）
【００２０】
また、前記ペット用キャリーバッグ底部９の内側は本体３の表地裏地に縫着され、さらに、ペット用キャリーバッグ内部にむかって折り返した状態で隆起しているため、使用中、外部からの衝撃を吸収し、さらに底部の形態保持を図る。
【００２１】
前記ペット用キャリーバッグ本体３の裏地上部に縫着されている巾着状の飛び出し防止ネット６の縫着部５は、縫着のさい２重以上に重ね縫いがされており、さらに、その上からバイアステープで抑えることにより本体への固定がされているため、巾着状の飛び出し防止ネットの上にフェレットを乗せてハンモック状態で使用することもできる。
【００２２】
また、飛び出し防止ネットの口をしっかり結ぶことにより、公共の場において、バッグの蓋の役割を果たし、外部からの視界を遮ることができ、暗がりを好むフェレットに安心感をあたえる。
【００２３】
さらに、本体３の入り口、つまり飛び出し防止ネットの縫着部上位に縫着された金具取り付けタグ７に金具８を取り付けることにより、ハーネスや、リード等の固定ができ、フェレット自身の飛び出し防止、フェレットの迷子防止を図り、フェレットの身の安全を確保する。
【００２４】
使用者の利便性を図るため、前期ペット用キャリーバッグ持ち手部２と本体３外部にポケット４と１４を取り付ける。持ち手部のポケット４は、持ち手部２の表地と裏地の間に縫着することにより、直接使用者に接することを避けることができ、さらにもっとも体に近いところに固定されているため、取り出しやすく利便性を向上させることができる。さらに、本体３外部に取り付けるポケット１７は、マチ付きにすることにより、使用中ポケット１７に物を入れた際、ペット用キャリーバッグ本体内のフェレットに与えるストレスを軽減することができる。
【図面の簡単な説明】
【００２５】
【図１】本考案の一実施形態を示す正面図
【図２】同実施形態における使用時のイメージ図
【図３】同実施形態における持ち手部及び開口部縫着の透過図
【図４】同実施形態における飛び出し防止ネットを蓋として使用した図
【図５】図４の飛び出し防止ネットをハンモックとして使用した図
【図６】同実施形態における底部内側図
【図７】図６の底部底面ポケット形状構造図
【図８】図７Ｂ断面図
【符号の説明】
【００２６】
１ペット用キャリーバッグ
２ペット用キャリーバッグ持ち手部
３ペット用キャリーバッグ本体
４ポケット
５バイアステープ
６飛び出し防止ネット
７金具取り付けタグ
８金具
９ペット用キャリーバッグ底部
１０ペット用キャリーバッグ底部背面
１１底部内面隆起部
１２マジックテープ（登録商標）
１２ａマジックテープ（登録商標）（雄）
１２ｂマジックテープ（登録商標）（雌）
１３底敷き（底部形態保持体）
１４  本体外部ポケット
１５表地
１６裏地
１７  １４本体外部ポケット開口部
１８  １４本体外部ポケットマチ
【図１】
0003138875.tif 000003
【図２】
0003138875.tif 000004
【図３】
0003138875.tif 000005
【図４】
0003138875.tif 000006
【図５】
0003138875.tif 000007
【図６】
0003138875.tif 000008
【図７】
0003138875.tif 000009
【図８】
0003138875.tif 000010